(57)【要約】      （修正有）【課題】自動車の日除けとして装備してあるサンバイザに対して着脱可能に装着して用いると共に、マスクを型崩れさせることなく、かつ、衛生的に収容することができ、マスクを保持するマスク収納部を有するサンバイザ装着用マスク収納ケースを提供する。【解決手段】自動車のサンバイザＶに着脱可能に取り付けられ、マスクＭを収納するサンバイザ装着用マスク収納ケース１０は、サンバイザＶの表面Ｖａ側に密着して配置されると共に、サンバイザＶの一方の長辺部に係止する係止部２２を有する取付ブラケット２０を有する。取付ブラケット２０に対し、サンバイザＶの他方の長辺部側を揺動軸として揺動自在に取り付けられ、複数のマスクＭを収納可能なマスクケース４０と、マスクケース４０に対し、サンバイザＶの他方の長辺部側を揺動軸として揺動自在に取り付けられ、１枚のマスクＭをその両面側に密着する押圧面４１、５２により保持するマスクホルダ５０を備える。【選択図】図３
0003233384.tif 000002
【実用新案登録請求の範囲】
【請求項１】
板状に形成された自動車のサンバイザに着脱可能に取り付けられ、マスクを収納するサンバイザ装着用マスク収納ケースにおいて、
前記サンバイザの一方の面側に密着して配置されると共に、前記サンバイザの一方の長辺部に係止する係止部を有する取付ブラケットと、
この取付ブラケットに対し、前記サンバイザの他方の長辺部側を揺動軸として揺動自在に取り付けられ、複数のマスクを収納可能なマスクケースと、
このマスクケースに対し、前記サンバイザの他方の長辺部側を揺動軸として揺動自在に取り付けられ、１枚のマスクをその両面側に密着する平面により保持するマスクホルダを備えているサンバイザ装着用マスク収納ケース。
【請求項２】
板状に形成された自動車のサンバイザに着脱可能に取り付けられ、マスクを収納するサンバイザ装着用マスク収納ケースにおいて、
前記サンバイザの一方の面側に密着して配置されると共に、前記サンバイザの一方の長辺部に係止する係止部を有する取付ブラケットと、
この取付ブラケットに対し、前記サンバイザの他方の長辺部側を揺動軸として揺動自在に取り付けられ、１枚のマスクをその両面側に密着する平面により保持するマスクホルダと、
このマスクホルダに対し、前記サンバイザの他方の長辺部側を揺動軸として揺動自在に取り付けられ、複数のマスクを収納可能なマスクケースを備えているサンバイザ装着用マスク収納ケース。
【請求項３】
前記マスクホルダの内面には、抗菌層が形成される請求項１又は２に記載のサンバイザ装着用マスク収納ケース。
【請求項４】
前記マスクホルダの内面は、弾性を有する請求項１又は２に記載のサンバイザ装着用マスク収納ケース。
【請求項５】
前記マスクケースには、一方の長辺部側に内外を通じ、前記マスクが通過可能なスリットが形成されている請求項１又は２に記載のサンバイザ装着用マスク収納ケース。
【請求項６】
板状に形成された自動車のサンバイザに着脱可能に取り付けられ、マスクを収納するサンバイザ装着用マスク収納ケースにおいて、
前記サンバイザの一方の面側に密着して配置されると共に、前記サンバイザの一方の長辺部に係止する係止部を有する取付ブラケットと、
この取付ブラケットに対し、前記サンバイザの他方の長辺部側を揺動軸として揺動自在に取り付けられ、１枚のマスクをその両面側に密着する平面により収納可能なマスクホルダを備えているサンバイザ装着用マスク収納ケース。
【請求項７】
前記マスクホルダの内面には、抗菌層が形成される請求項５に記載のサンバイザ装着用マスク収納ケース。
【請求項８】
前記マスクホルダの内面は、弾性を有する請求項５に記載のサンバイザ装着用マスク収納ケース。
【請求項９】
板状に形成された自動車のサンバイザに着脱可能に取り付けられ、マスクを収納するサンバイザ装着用マスク収納ケースにおいて、
前記サンバイザの一方の面側に密着して配置されると共に、前記サンバイザの一方の長辺部に係止する係止部を有する取付ブラケットと、
この取付ブラケットに対し、前記サンバイザの他方の長辺部側を揺動軸として揺動自在に取り付けられ、複数のマスクを収納可能なマスクケースを備えているサンバイザ装着用マスク収納ケース。
【請求項１０】
前記マスクケースには、一方の長辺部側に内外を通じ、前記マスクが通過可能なスリットが形成されている請求項９に記載のサンバイザ装着用マスク収納ケース。
【考案の詳細な説明】
【技術分野】
【０００１】
本考案は、マスクを保持するマスク収納部を有するサンバイザ装着用マスク収納ケースに関する。
【背景技術】
【０００２】
自動車の運転席や助手席の前側上方には、フロントガラスから入射する直射日光を遮るためのサンバイザが装備されている。このサンバイザは、不要なときには車内の天井側に回動させて納めておき、使用する際には手前側に回動させる構成である。このように乗員が操作しやすい位置にある装備であるため、サンバイザに小物入れを設け、チケット等を一時的に保持する構造はごく一般的に普及しており、近年では、モバイル端末等を保持する構造を有するサンバイザが知られている（例えば、特許文献１参照。）。
【０００３】
また、サンバイザ自体に小物入れを設けるのではなく、サンバイザにゴムバンドやフック等を用いて装着するサンバイザ装着用収納ケースが利用される場合がある（例えば、特許文献２参照。）。このようなサンバイザ装着用収納ケースには、複数の収納部が形成されており、チケット、ペン、サングラス、カード類、モバイル携帯等を収容することが可能である。
【０００４】
近年、花粉やウィルス、粉塵等の様々な粒子の吸引を防ぐために、あるいは、咳やくしゃみなどにより発生する飛沫等の拡散を防止するために、また口内環境を湿潤に保つためにマスクを使用する機会が増えている。
【０００５】
マスクは、食事や洗顔等の際は外し、サンバイザ装着用マスク収納ケースやポケット等に一時保管する必要がある。このような時、マスクを一時的かつ衛生的に保管するマスクケースが種々検討されている（例えば、特許文献３参照。）。これらのマスクケースでは、埃が付着することを防止できると共に、マスクの型崩れを防止することができる。
【０００６】
前述したサンバイザ装着用収納ケースにおいて、マスクを保持する構造を有するものは無く、乗員が乗車時にマスクを外す場合、マスクを一時的に収容する場所が無い。このため、コンソールボックスや衣服のポケット等に一時的に収容せざるを得ず、型崩れを起こし、また、マスクに乗員の手指が触れてしまう虞がある。
【先行技術文献】
【特許文献】
【０００７】
【特許文献１】特開２０１５−１１３０２８号公報
【特許文献２】特開平１０−２７８６８５号公報
【特許文献３】実用新案登録第３２２９１４８号公報
【考案の概要】
【考案が解決しようとする課題】
【０００８】
マスクを保持するマスク収納部を有するサンバイザ装着用マスク収納ケースにおいて、自動車の日除けとして装備してあるサンバイザに対して着脱可能に装着して用いると共に、マスクを型崩れさせることなく、かつ、衛生的に収容することが望まれている。
【課題を解決するための手段】
【０００９】
本考案の実施形態に係る板状に形成された自動車のサンバイザＶに着脱可能に取り付けられ、マスクＭを収納するサンバイザ装着用マスク収納ケース１０において、サンバイザＶの表面Ｖａ側に密着して配置されると共に、サンバイザＶの一方の長辺部に係止する係止部２２を有する取付ブラケット２０を有している。取付ブラケット２０に対し、サンバイザＶの他方の長辺部側を揺動軸として揺動自在に取り付けられ、複数のマスクＭを収納可能なマスクケース４０と、このマスクケース４０に対し、サンバイザＶの他方の長辺部側を揺動軸として揺動自在に取り付けられ、１枚のマスクＭをその両面側に密着する押圧面４１，５２平面により保持するマスクホルダ５０を備えている。
【図面の簡単な説明】
【００１０】
【図１】本考案の第１実施形態に係るサンバイザ装着用マスク収納ケースをサンバイザに取り付けた状態を、一方向から見た斜視図。
【図２】図１のサンバイザ装着用マスク収納ケースにおいて、マスクホルダを開いた状態を、一方向から見た斜視図。
【図３】図１のサンバイザ装着用マスク収納ケースにおいて、マスクホルダ及びマスクケースを開いた状態を、一方向から見た斜視図。
【図４】本考案の第２実施形態に係るサンバイザ装着用マスク収納ケースにおいて、マスクホルダを開いた状態を、一方向から見た斜視図。
【図５】本考案の第３実施形態に係るサンバイザ装着用マスク収納ケースにおいて、マスクケースを開いた状態を、一方向から見た斜視図。
【考案を実施するための形態】
【００１１】
以下、図に基づいて、本考案の実施形態について説明する。  
＜第１実施形態＞
図１は、本考案の第１実施形態に係るサンバイザ装着用マスク収納ケース１０をサンバイザＶに取り付けた状態を、一方向から見た斜視図、図２はサンバイザ装着用マスク収納ケース１０において、マスクホルダを開いた状態を、一方向から見た斜視図、図３は、サンバイザ装着用マスク収納ケース１０において、マスクホルダ及びマスクケースを開いた状態を、一方向から見た斜視図である。なお、これらの図中Ｖはサンバイザを示しており、Ｖａは表面、Ｖｂは裏面、Ｖｆは手前縁（一方の長辺部）を示している。また、図中Ｒは車内天井、ＲＭはルームミラー、Ｆはフロントガラスを示している。マスクＭの表面をＭａ、装着者の口に接する裏面をＭｂ、耳に引っ掛ける耳掛部をＳとする。マスクＭは、使用目的に応じて布製・不織布製・紙製等の様々な材質から形成されている。
【００１２】
図１に示すように、本実施形態に係るサンバイザ装着用マスク収納ケース１０は、自動車のサンバイザＶに着脱可能に取り付けられ、マスクＭを収納する機能を有している。サンバイザ装着用マスク収納ケース１０は、樹脂等の比較的硬質な材質で形成されている。サンバイザＶは板状に構成され、車内天井ＲにフロントガラスＦと平行な軸を揺動軸として取り付けられ、非使用時には車内天井Ｒに揺動して格納され、使用時には手前縁Ｖｆを乗員側に揺動してフロントガラスＦ及び乗員の上側において直射日光を遮る機能を有している。
【００１３】
サンバイザ装着用マスク収納ケース１０は、取付ブラケット２０と、この取付ブラケット２０に開閉自在に設けられ、マスクＭを収納するマスク収納部３０とを備えている。
【００１４】
取付ブラケット２０は、サンバイザＶの表面（一方の面）Ｖａ側に密着して配置される板状のベース部２１を備えている。ベース部２１は、サンバイザＶの手前側の手前縁Ｖｆに係止する係止部２２が設けられている。ベース部２１はマスク収納部３０側が凹となる浅皿状に形成されている。
【００１５】
マスク収納部３０は、サンバイザＶの奥側の長辺部側を揺動軸として揺動自在に取り付けられたマスクケース４０と、このマスクケース４０に対し、サンバイザＶの奥側の長辺部側を揺動軸として揺動自在に取り付けられ、１枚のマスクＭをその両面側に密着する平面により保持するマスクホルダ５０を備えている。
【００１６】
マスクケース４０は、複数のマスクを収納可能な浅皿状に形成され、その底面側はマスクＭの表面Ｍａに当接する押圧面４１、ベース部２１側は凹面４２が形成されている。凹面４２には、立設された壁面４２ａが形成されている。壁面４２ａはベース部２１の凹面側に嵌合して係止されるように構成されている。マスクケース４０の外壁面には半円状の切欠４３が形成され、使用時に指先で引っ掛けてマスクケース４０を開くことができる。切欠４３から凹面４２の内部に通じるスリット４４が設けられている。スリット４４のマスクＭが通過できる程度の寸法に形成されている。押圧面４１はマスクＭに密着することができるように弾性を有する素材により形成することが望ましい。例えば、ポリウレタン、ゴム等で構成される。押圧面４１には、磁石４１ａが取り付けられている。
【００１７】
マスクホルダ５０は、板状に形成され、乗員側の外装面５１とベース部２１側の押圧面５２とを備えている。押圧面５２はマスクＭに密着することができるように弾性を有する素材により形成することが望ましい。例えば、ポリウレタン、ゴム等で構成される。押圧面５２はマスクＭの裏面Ｍｂに当接する押圧面５２には、鉄板５２ａが取り付けられている。鉄板５２ａは磁石４１ａに吸着される。
【００１８】
なお、押圧面４１及び押圧面５２に抗菌層を形成するようにしてもよい。マスクＭの表面Ｍａ及び裏面Ｍｂは、押圧面４１の抗菌層及び押圧面５２の抗菌層に接触することで、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００１９】
このように構成されたサンバイザ装着用マスク収納ケース１０は、次のようにして用いる。取付ブラケット２０の係止部２２をサンバイザＶに引っ掛け、ベース部２１を表面Ｖａ側に密着させて配置させて取り付ける。マスクケース４０を開き、未使用の一枚又は複数枚のマスクＭをマスクケース４０内に収容する。これらのマスクＭは予備用として収納するものである。
【００２０】
次に、乗員が自動車に乗り込んでマスクＭを外す場合、マスクホルダ５０を開き、マスクＭを押圧面４１と押圧面５２との間に挟持する。マスクホルダ５０を閉じると磁石４１ａと鉄板５２ａとが磁力により吸着される。この吸着力は、マスクホルダ５０が自重或いは振動で解除されず、かつ、乗員の指先の力で容易に解除できる程度の力である。押圧面４１と押圧面５２との間に挟持されたマスクＭは型崩れすることなく、また埃等が付くことなく保持される。
【００２１】
押圧面４１及び押圧面５２に抗菌層を形成した場合には、マスクホルダ５０を閉じることで、押圧面４１の抗菌層及び押圧面５２の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００２２】
マスクＭを取り出す場合は、乗員が指先で磁石４１ａと鉄板５２ａとの吸着を解除し、マスクホルダ５０を開き、押圧面４１と押圧面５２に挟持されているマスクＭを引き出す。なお、新しいマスクＭを使用する場合は、マスクケース４０を開き、収納されているマスクＭを使用する。
【００２３】
なお、切欠４３にマスクケース４０内部に指先を入れて、マスクケース４０を開くことなく、スリット４４から内部のマスクＭを引っ張りだしても良い。この場合、収納されている未使用のマスクＭを外部に露出する時間を少しでも減少させることができ、より衛生的にマスクＭを収容することができる。
【００２４】
このように本実施形態に係るサンバイザ装着用マスク収納ケースによれば、自動車の日除けとして装備してあるサンバイザに対して着脱可能に装着して用いると共に、マスクを型崩れさせることなく、かつ、衛生的に収容することができる。また、使用中のマスクＭの保持と、未使用のマスクＭを別々に収容することができるので、使用中のマスクＭと未使用のマスクＭとが接触する機会が無く、菌の無用な移動を防止することができる。
【００２５】
なお、本実施形態においては、取付ブラケット２０側からマスクケース、マスクホルダの順で構成しているが、取付ブラケット２０側にマスクホルダ、マスクケースを設ける構造としても良い。磁石４１ａと鉄板５２ａは、使用者の手で容易に着脱可能で、かつ、自重で開かないものであれば、面ファスナ、ボタン、ホックを用いてもよい。
＜第２実施形態＞
図４は、本実施形態に係るサンバイザ装着用マスク収納ケース１０Ａにおいて、マスクホルダを開いた状態を、一方向から見た斜視図である。図４において、図１〜図３における同一機能部分には同一符号を付し、その詳細な説明は省略する。
【００２６】
サンバイザ装着用マスク収納ケース１０Ａは、マスク収納部３０の代わりにマスク収納部３０Ａが設けられている。マスク収納部３０Ａは、取付ブラケット２０と、取付ブラケット２０に対し、サンバイザＶの奥側の長辺部側を揺動軸として揺動自在に取り付けられ、１枚のマスクＭをその両面側に密着する平面により保持するマスクホルダ５０を備えている。
【００２７】
取付ブラケット２０は、ベース部２１と、サンバイザＶの手前縁Ｖｆに係止する係止部２３が設けられている。ベース部２１の乗員側の面には磁石２１ａが設けられている。磁石２１ａは鉄板５２ａを吸着する。
【００２８】
このように構成されたサンバイザ装着用マスク収納ケース１０Ａは、次のようにして用いる。取付ブラケット２０の係止部２３をサンバイザＶに引っ掛け、ベース部２１を表面Ｖａ側に密着させて配置させて取り付ける。
【００２９】
乗員が自動車に乗り込んでマスクＭを外す場合、マスクホルダ５０を開き、マスクＭをベース部２１と押圧面５２との間に挟持する。マスクホルダ５０を閉じると磁石２１ａと鉄板５２ａとが磁力により吸着される。ベース部２１と押圧面５２との間に挟持されたマスクＭは型崩れすることなく、また埃等が付くことなく保持される。
【００３０】
ベース部２１及び押圧面５２に抗菌層を形成した場合には、抗菌層の抗菌作用により、マスクＭ内でのウィルスや菌の増殖を防止する抗菌効果を発揮できる。
【００３１】
マスクＭを取り出す場合は、乗員が指先で磁石２１ａと鉄板５２ａとの吸着を解除し、マスクホルダ５０を開き、ベース部２１と押圧面５２に挟持されているマスクＭを引き出す。
【００３２】
このように本実施形態に係るサンバイザ装着用マスク収納ケースによれば、自動車の日除けとして装備してあるサンバイザに対して着脱可能に装着して用いると共に、マスクを型崩れさせることなく、かつ、衛生的に収容することができる。また、使用中のマスクＭの保持と、未使用のマスクＭを別々に収容することができるので、使用中のマスクＭと未使用のマスクＭとが接触する機会が無く、菌の無用な移動を防止することができる。
＜第３実施形態＞
図５は、本実施形態に係るサンバイザ装着用マスク収納ケース１０Ｂにおいて、マスクケースを開いた状態を、一方向から見た斜視図である。図５において、図１〜図３における同一機能部分には同一符号を付し、その詳細な説明は省略する。
【００３３】
サンバイザ装着用マスク収納ケース１０Ｂは、取付ブラケット２０と、この取付ブラケット２０に開閉自在に設けられ、マスクＭを収納するマスク収納部３０Ｂとを備えている。
【００３４】
マスク収納部３０Ｂは、サンバイザＶの奥側の長辺部側を揺動軸として揺動自在に取り付けられたマスクケース４０を備えている。
【００３５】
マスクケース４０は、複数のマスクを収納可能な浅皿状に形成され、その底面側はマスクＭの表面Ｍａに当接する押圧面４１、ベース部２１側は凹面４２が形成されている。凹面４２には、立設された壁面４２ａが形成されている。壁面４２ａはベース部２１の凹面側に嵌合して係止されるように構成されている。マスクケース４０の外壁面には半円状の切欠４３が形成され、使用時に指先で引っ掛けてマスクケース４０を開くことができる。
【００３６】
このように構成されたサンバイザ装着用マスク収納ケース１０Ｂは、次のようにして用いる。取付ブラケット２０の係止部２３をサンバイザＶに引っ掛け、ベース部２１を表面Ｖａ側に密着させて配置させて取り付ける。マスクケース４０を開き、未使用の一枚又は複数枚のマスクＭをマスクケース４０内に収容する。これらのマスクＭは予備用として収納する。
【００３７】
マスクケース４０によりマスクＭを露出させることなく保持することができるとともに、抗菌層の抗菌作用により、マスクＭ内でのウィルスや菌の増殖を防止する抗菌効果を発揮できる。
【００３８】
次に、乗員が自動車に乗り込んで新しいマスクＭを取り出す場合、マスクケース４０を開き、収納されているマスクＭを使用する。なお、切欠４３にマスクケース４０内部に指先を入れて、マスクケース４０を開くことなく、スリット４４から内部のマスクＭを引っ張りだしても良い。この場合、収納されている未使用のマスクＭを外部に露出する時間を少しでも減少させることができ、より衛生的にマスクＭを収容することができる。
【００３９】
このように本実施形態に係るサンバイザ装着用マスク収納ケースによれば、自動車の日除けとして装備してあるサンバイザに対して着脱可能に装着して用いると共に、未使用のマスクＭを収容することができるので、未使用のマスクＭに乗員の手指が触れることがなく、菌の無用な移動を防止することができる。
【００４０】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００４１】
１０，１０Ａ，１０Ｂ…サンバイザ装着用マスク収納ケース、２０…取付ブラケット、２１…ベース部、２１ａ…磁石、２２…係止部、２３…係止部、３０，３０Ａ，３０Ｂ…マスク収納部、４０…マスクケース、４１…押圧面、４１ａ…磁石、４２…凹面、４２ａ…壁面、４３…切欠、４４…スリット、５０…マスクホルダ、５１…外装面、５２…押圧面、５２ａ…鉄板。
【図１】
0003233384.tif 000003
【図２】
0003233384.tif 000004
【図３】
0003233384.tif 000005
【図４】
0003233384.tif 000006
【図５】
0003233384.tif 000007